(57)【要約】【課題】振動をトリガとして接続処理が行われる無線通信ネットワークにおいて無線通信ネットワーク参加端末と無線通信ネットワーク構築端末とが複数の無線通信プロトコルに対応する。【解決手段】無線通信プロトコル選択部１０２は、複数の無線通信プロトコルのいずれかを選択する。振動制御部１０４は、振動発生モジュール１０３に対して、選択された無線通信プロトコルを示す振動を発生させる。通信制御部１０１は、選択された無線通信プロトコルに従った動作が開始されていない場合、その動作を開始し、その動作が開始された後、選択された無線通信プロトコルに対応した通信接続要求メッセージが無線通信部で無線受信された場合、通信接続要求メッセージを無線送信した無線通信ネットワーク参加端末に対して、通信接続要求を許可する旨のメッセージを無線通信部１００から無線送信させる。【選択図】図１
2014229993.tif 000002
【特許請求の範囲】
【請求項１】
振動を発生する振動発生モジュールと、
無線通信部と、
無線通信ネットワークを構築する構築部と、
複数の無線通信プロトコルのいずれかを選択する選択部と、
前記振動発生モジュールに対して、前記選択部が選択した無線通信プロトコルを示す振動を発生させる振動制御部と、
前記選択部が選択した無線通信プロトコルに従った動作が開始されていない場合、前記動作を開始し、前記動作が開始された後、前記選択部が選択した無線通信プロトコルに対応した通信接続要求メッセージが前記無線通信部で無線受信された場合、前記通信接続要求メッセージを無線送信した無線通信ネットワーク参加端末に対して、通信接続要求を許可する旨のメッセージを前記無線通信部から無線送信させる通信制御部と、
を有する無線通信ネットワーク構築端末。
【請求項２】
外部の物体の接触を検知する検知部をさらに有し、
前記振動制御部は、前記検知部が前記接触を検知した場合に、前記振動発生モジュールに対して、前記選択部が選択した無線通信プロトコルを示す振動を発生させる請求項１に記載の無線通信ネットワーク構築端末。
【請求項３】
撮像部をさらに有し、
前記振動制御部は、前記検知部が前記接触を検知しなかった場合に、前記振動発生モジュールに対して、前記撮像部に付着する物を落とす振動を発生させる請求項２に記載の無線通信ネットワーク構築端末。
【請求項４】
公衆網インターフェースをさらに有し、
前記振動制御部は、前記検知部が前記接触を検知せず、前記公衆網インターフェースへの着信があった場合に、前記振動発生モジュールに対して、前記公衆網インターフェースへの着信を示す振動を発生させる請求項２に記載の無線通信ネットワーク構築端末。
【請求項５】
前記選択部は、前記振動発生モジュールが振動を発生した後、所定時間内に前記通信接続要求メッセージが無線受信されない場合、既に選択した無線通信プロトコルとは異なる無線通信プロトコルを選択する請求項１に記載の無線通信ネットワーク構築端末。
【請求項６】
前記振動制御部は、前記振動発生モジュールが振動を発生した後、所定時間内に前記通信接続要求メッセージが無線受信されない場合、前記振動発生モジュールに対して、既に発生した振動が示す無線通信プロトコルと同一の無線通信プロトコルを示す振動を発生させる請求項１に記載の無線通信ネットワーク構築端末。
【請求項７】
前記無線通信ネットワークの設定情報を記憶する記憶部をさらに有し、
前記振動制御部は、前記振動発生モジュールに対して、前記選択部が選択した無線通信プロトコルを示す振動と、前記記憶部が記憶している前記設定情報に対応する振動とを発生させる請求項１に記載の無線通信ネットワーク構築端末。
【請求項８】
振動を検出する振動検出部と、
無線通信部と、
前記振動検出部が検出した振動から、所定の無線通信プロトコルを示す情報を抽出する情報抽出部と、
前記情報抽出部が抽出した前記情報が示す無線通信プロトコルに従った動作を開始し、前記動作が開始された後、前記情報抽出部が抽出した前記情報が示す無線通信プロトコルに従って通信接続要求メッセージを前記無線通信部から無線通信ネットワーク構築端末へ無線送信させる通信制御部と、
を有する無線通信ネットワーク参加端末。
【請求項９】
外部の物体の接触を検知する検知部をさらに有し、
前記情報抽出部は、前記検知部が前記接触を検知した場合に、前記振動検出部が検出した振動から、所定の無線通信プロトコルを示す情報を抽出する請求項８に記載の無線通信ネットワーク参加端末。
【請求項１０】
外部の物体の接触を検知する検知部をさらに有し、
前記情報抽出部は、前記検知部が前記接触を検知した場合に、前記振動検出部が検出した振動から、所定の無線通信プロトコルを示す情報と、無線通信ネットワークの設定情報を示す情報とを抽出する請求項８に記載の無線通信ネットワーク参加端末。
【請求項１１】
前記振動検出部は、モーションセンサを有する請求項８に記載の無線通信ネットワーク参加端末。
【請求項１２】
無線通信ネットワーク構築端末と、無線通信ネットワーク参加端末とを有し、
前記無線通信ネットワーク構築端末は、
振動を発生する振動発生モジュールと、
第１の無線通信部と、
無線通信ネットワークを構築する構築部と、
複数の無線通信プロトコルのいずれかを選択する選択部と、
前記振動発生モジュールに対して、前記選択部が選択した無線通信プロトコルを示す振動を発生させる振動制御部と、
前記選択部が選択した無線通信プロトコルに従った第１の動作が開始されていない場合、前記第１の動作を開始し、前記第１の動作が開始された後、前記選択部が選択した無線通信プロトコルに対応した通信接続要求メッセージが前記第１の無線通信部で無線受信された場合、前記通信接続要求メッセージを無線送信した前記無線通信ネットワーク参加端末に対して、通信接続要求を許可する旨のメッセージを前記第１の無線通信部から無線送信させる第１の通信制御部と、
を有し、
前記無線通信ネットワーク参加端末は、
振動を検出する振動検出部と、
第２の無線通信部と、
前記振動検出部が検出した振動から、無線通信プロトコルを示す情報を抽出する情報抽出部と、
前記情報抽出部が抽出した前記情報が示す無線通信プロトコルに従った第２の動作を開始し、前記第２の動作が開始された後、前記情報抽出部が抽出した前記情報が示す無線通信プロトコルに従って前記通信接続要求メッセージを前記第２の無線通信部から前記無線通信ネットワーク構築端末へ無線送信させる第２の通信制御部と、
を有する無線通信システム。
【請求項１３】
無線通信ネットワーク構築端末が無線通信ネットワークを構築する構築ステップと、
前記無線通信ネットワーク構築端末が複数の無線通信プロトコルのいずれかを選択する選択ステップと、
前記無線通信ネットワーク構築端末が、前記選択ステップで選択した無線通信プロトコルを示す振動を発生する振動発生ステップと、
前記無線通信ネットワーク構築端末が、前記選択ステップで選択した無線通信プロトコルに従った第１の動作が開始されていない場合、前記第１の動作を開始する第１の開始ステップと、
無線通信ネットワーク参加端末が前記振動を検出する振動検出ステップと、
前記無線通信ネットワーク参加端末が、前記振動検出ステップで検出した振動から、無線通信プロトコルを示す情報を抽出する情報抽出ステップと、
前記無線通信ネットワーク参加端末が、前記情報抽出ステップで抽出した前記情報が示す無線通信プロトコルに従った第２の動作を開始する第２の開始ステップと、
前記第２の動作が開始された後、前記無線通信ネットワーク参加端末が、前記情報抽出ステップで抽出した前記情報が示す無線通信プロトコルに従って通信接続要求メッセージを前記無線通信ネットワーク構築端末へ無線送信する第１の送信ステップと、
前記第１の動作が開始された後、前記無線通信ネットワーク構築端末が、前記選択ステップで選択した無線通信プロトコルに対応した前記通信接続要求メッセージが無線受信された場合、前記通信接続要求メッセージを無線送信した前記無線通信ネットワーク参加端末に対して、通信接続要求を許可する旨のメッセージを無線送信する第２の送信ステップと、
を有する無線通信方法。
【請求項１４】
無線通信ネットワークを構築する構築ステップと、
複数の無線通信プロトコルのいずれかを選択する選択ステップと、
前記選択ステップで選択した無線通信プロトコルを示す振動を振動発生モジュールに発生させる振動発生ステップと、
前記選択ステップで選択した無線通信プロトコルに従った動作が開始されていない場合、前記動作を開始するステップと、
前記動作が開始された後、前記選択ステップで選択した無線通信プロトコルに対応した通信接続要求メッセージが無線通信部で無線受信された場合、前記通信接続要求メッセージを無線送信した無線通信ネットワーク参加端末に対して、通信接続要求を許可する旨のメッセージを無線通信部から無線送信させる送信ステップと、
をコンピュータに実行させるためのプログラム。
【請求項１５】
振動検出部に振動を検出させる振動検出ステップと、
前記振動検出ステップで検出した振動から、所定の無線通信プロトコルを示す情報を抽出する情報抽出ステップと、
前記情報抽出ステップで抽出した前記情報が示す無線通信プロトコルに従った動作を開始するステップと、
前記動作が開始された後、前記情報抽出ステップで抽出した前記情報が示す無線通信プロトコルに従って通信接続要求メッセージを無線通信部から無線通信ネットワーク構築端末へ無線送信させる送信ステップと、
をコンピュータに実行させるためのプログラム。
【発明の詳細な説明】
【技術分野】
【０００１】
本発明は、無線通信ネットワーク構築端末が構築した無線ＬＡＮ等の無線通信ネットワークに無線通信ネットワーク参加端末が参加する際に行われる無線通信に関する。
【背景技術】
【０００２】
近年、携帯電話やスマートフォン、タブレット、あるいはデジタルスチルカメラなど、バッテリーにより駆動する無線通信端末の普及が著しい。バッテリーにより駆動するこれらの無線通信端末では、電力消費を低く抑えることで長時間駆動できることが重要である。
【０００３】
従来、通信端末の電力消費を抑えるための手段として、双方の端末が接触中に所定の振動を発生し、この所定の振動を双方の端末が検出した場合に双方の端末間で通信を開始する技術が特許文献１で提案されている。
【０００４】
一方で、無線ＬＡＮによる無線通信を行う場合、無線通信ネットワーク参加端末がアクセスポイント等の無線通信ネットワーク構築端末により提供される無線通信ネットワークに参加し、データ通信を行うための認証を受けるには、無線通信ネットワーク参加端末において、無線通信ネットワークの設定情報が必要となる。無線通信ネットワークの設定情報は、無線通信ネットワークのネットワークＩＤ（ＳＳＩＤ）、認証方式、暗号化方式、および暗号鍵といった様々な情報である。
【０００５】
無線通信ネットワーク参加端末が無線通信ネットワークの設定情報を使用して無線通信ネットワークへ参加し認証を受ける際に使用される無線通信プロトコルとして複数の無線通信プロトコルが存在する。無線通信ネットワーク参加端末はそれらのいずれかを用いることが可能である。無線通信プロトコルの一つの例としては、通信開始のトリガが発生する前から無線通信ネットワーク参加端末に記憶されている設定情報を使用して、無線通信ネットワーク参加端末が無線通信ネットワーク構築端末に、通信接続を要求する通信接続要求メッセージを送信して接続処理を行う方式がある。この方式では、ユーザが無線通信ネットワーク構築端末の管理画面等を介して設定情報を読み取り、無線通信ネットワーク参加端末上でその設定情報を入力するなどにより、設定情報が無線通信ネットワーク参加端末に記憶される。
【先行技術文献】
【特許文献】
【０００６】
【特許文献１】特開２００５−３０３５７１号公報
【発明の概要】
【発明が解決しようとする課題】
【０００７】
しかしながら、無線通信ネットワーク参加端末への無線通信ネットワークの設定情報の入力は複雑であり、特に無線ＬＡＮ技術に不慣れなユーザが無線通信ネットワークの設定情報の入力を行うのは困難である。このため、別の無線通信プロトコルとして、通信開始のトリガが発生した後に、ユーザの負担を減らしつつ無線通信ネットワーク参加端末が無線通信ネットワークの設定情報を取得し、通信接続要求メッセージを送信することにより接続処理を行う方式が普及している。例えば、無線ＬＡＮの業界で標準の仕組みとしてＷｉ−Ｆｉ  Ｐｒｏｔｅｃｔｅｄ  Ｓｅｔｕｐ（ＴＭ）（以下ＷＰＳと略す）が定義されている。
【０００８】
特許文献１に記載された技術と同様に、無線通信ネットワークにおいても、無線通信ネットワーク構築端末と無線通信ネットワーク参加端末とが、振動をデータ通信のトリガとして使用し、データ通信を行う際にのみ無線通信部をアクティブな状態にすることは、電力消費を抑えるという観点から有用である。しかし、特許文献１に記載された技術では、双方の端末間で通信を行う際に双方の端末が複数の無線通信プロトコルに対応することができず、利便性が制限される。
【０００９】
本発明は、上述した課題に鑑みてなされたものであって、振動をトリガとして接続処理が行われる無線通信ネットワークにおいて無線通信ネットワーク参加端末と無線通信ネットワーク構築端末とが複数の無線通信プロトコルに対応することを目的とする。
【課題を解決するための手段】
【００１０】
本発明は、上記の課題を解決するためになされたもので、振動を発生する振動発生モジュールと、無線通信部と、無線通信ネットワークを構築する構築部と、複数の無線通信プロトコルのいずれかを選択する選択部と、前記振動発生モジュールに対して、前記選択部が選択した無線通信プロトコルを示す振動を発生させる振動制御部と、前記選択部が選択した無線通信プロトコルに従った動作が開始されていない場合、前記動作を開始し、前記動作が開始された後、前記選択部が選択した無線通信プロトコルに対応した通信接続要求メッセージが前記無線通信部で無線受信された場合、前記通信接続要求メッセージを無線送信した無線通信ネットワーク参加端末に対して、通信接続要求を許可する旨のメッセージを前記無線通信部から無線送信させる通信制御部と、を有する無線通信ネットワーク構築端末である。
【００１１】
また、本発明は、振動を検出する振動検出部と、無線通信部と、前記振動検出部が検出した振動から、所定の無線通信プロトコルを示す情報を抽出する情報抽出部と、前記情報抽出部が抽出した前記情報が示す無線通信プロトコルに従った動作を開始し、前記動作が開始された後、前記情報抽出部が抽出した前記情報が示す無線通信プロトコルに従って通信接続要求メッセージを前記無線通信部から無線通信ネットワーク構築端末へ無線送信させる通信制御部と、を有する無線通信ネットワーク参加端末である。
【００１２】
また、本発明は、無線通信ネットワーク構築端末と、無線通信ネットワーク参加端末とを有し、前記無線通信ネットワーク構築端末は、振動を発生する振動発生モジュールと、第１の無線通信部と、無線通信ネットワークを構築する構築部と、複数の無線通信プロトコルのいずれかを選択する選択部と、前記振動発生モジュールに対して、前記選択部が選択した無線通信プロトコルを示す振動を発生させる振動制御部と、前記選択部が選択した無線通信プロトコルに従った第１の動作が開始されていない場合、前記第１の動作を開始し、前記第１の動作が開始された後、前記選択部が選択した無線通信プロトコルに対応した通信接続要求メッセージが前記第１の無線通信部で無線受信された場合、前記通信接続要求メッセージを無線送信した前記無線通信ネットワーク参加端末に対して、通信接続要求を許可する旨のメッセージを前記第１の無線通信部から無線送信させる第１の通信制御部と、を有し、前記無線通信ネットワーク参加端末は、振動を検出する振動検出部と、第２の無線通信部と、前記振動検出部が検出した振動から、無線通信プロトコルを示す情報を抽出する情報抽出部と、前記情報抽出部が抽出した前記情報が示す無線通信プロトコルに従った第２の動作を開始し、前記第２の動作が開始された後、前記情報抽出部が抽出した前記情報が示す無線通信プロトコルに従って前記通信接続要求メッセージを前記第２の無線通信部から前記無線通信ネットワーク構築端末へ無線送信させる第２の通信制御部と、を有する無線通信システムである。
【００１３】
また、本発明は、無線通信ネットワーク構築端末が無線通信ネットワークを構築する構築ステップと、前記無線通信ネットワーク構築端末が複数の無線通信プロトコルのいずれかを選択する選択ステップと、前記無線通信ネットワーク構築端末が、前記選択ステップで選択した無線通信プロトコルを示す振動を発生する振動発生ステップと、前記無線通信ネットワーク構築端末が、前記選択ステップで選択した無線通信プロトコルに従った第１の動作が開始されていない場合、前記第１の動作を開始する第１の開始ステップと、前記無線通信ネットワーク参加端末が前記振動を検出する振動検出ステップと、前記無線通信ネットワーク参加端末が、前記振動検出ステップで検出した振動から、無線通信プロトコルを示す情報を抽出する情報抽出ステップと、前記無線通信ネットワーク参加端末が、前記情報抽出ステップで抽出した前記情報が示す無線通信プロトコルに従った第２の動作を開始する第２の開始ステップと、前記第２の動作が開始された後、前記無線通信ネットワーク参加端末が、前記情報抽出ステップで抽出した前記情報が示す無線通信プロトコルに従って通信接続要求メッセージを前記無線通信ネットワーク構築端末へ無線送信する第１の送信ステップと、前記第１の動作が開始された後、前記無線通信ネットワーク構築端末が、前記選択ステップで選択した無線通信プロトコルに対応した前記通信接続要求メッセージが無線受信された場合、前記通信接続要求メッセージを無線送信した前記無線通信ネットワーク参加端末に対して、通信接続要求を許可する旨のメッセージを無線送信する第２の送信ステップと、を有する無線通信方法である。
【００１４】
また、本発明は、無線通信ネットワークを構築する構築ステップと、複数の無線通信プロトコルのいずれかを選択する選択ステップと、前記選択ステップで選択した無線通信プロトコルを示す振動を振動発生モジュールに発生させる振動発生ステップと、前記選択ステップで選択した無線通信プロトコルに従った動作が開始されていない場合、前記動作を開始するステップと、前記動作が開始された後、前記選択ステップで選択した無線通信プロトコルに対応した通信接続要求メッセージが無線通信部で無線受信された場合、前記通信接続要求メッセージを無線送信した無線通信ネットワーク参加端末に対して、通信接続要求を許可する旨のメッセージを無線通信部から無線送信させる送信ステップと、をコンピュータに実行させるためのプログラムである。
【００１５】
また、本発明は、振動検出部に振動を検出させる振動検出ステップと、前記振動検出ステップで検出した振動から、所定の無線通信プロトコルを示す情報を抽出する情報抽出ステップと、前記情報抽出ステップで抽出した前記情報が示す無線通信プロトコルに従った動作を開始するステップと、前記動作が開始された後、前記情報抽出ステップで抽出した前記情報が示す無線通信プロトコルに従って通信接続要求メッセージを無線通信部から無線通信ネットワーク構築端末へ無線送信させる送信ステップと、をコンピュータに実行させるためのプログラムである。
【発明の効果】
【００１６】
本発明によれば、無線通信ネットワーク構築端末は複数の無線通信プロトコルから選択した無線通信プロトコルを示す振動を発生し、無線通信ネットワーク参加端末はその振動が示す無線通信プロトコルに従って通信接続要求メッセージを送信する。これによって、無線通信ネットワーク参加端末と無線通信ネットワーク構築端末とが複数の無線通信プロトコルに対応することができる。
【図面の簡単な説明】
【００１７】
【図１】本発明の第１の実施形態による無線通信ネットワーク構築端末の構成を示すブロック図である。
【図２】本発明の第１の実施形態による無線通信ネットワーク構築端末の構成を示すブロック図である。
【図３】本発明の第１の実施形態による無線通信ネットワーク参加端末の構成を示すブロック図である。
【図４】本発明の第１の実施形態による無線通信ネットワーク参加端末の構成を示すブロック図である。
【図５】本発明の第１の実施形態による無線通信ネットワーク構築端末の動作の手順を示すフローチャートである。
【図６】本発明の第１の実施形態による無線通信ネットワーク参加端末の動作の手順を示すフローチャートである。
【図７】本発明の第１の実施形態による無線通信ネットワーク構築端末および無線通信ネットワーク参加端末の動作の手順を示すシーケンス図である。
【図８】本発明の第１の実施形態（第１の変形例）による無線通信ネットワーク構築端末の動作の手順を示すフローチャートである。
【図９】本発明の第１の実施形態（第１の変形例）による無線通信ネットワーク構築端末および無線通信ネットワーク参加端末の動作の手順を示すシーケンス図である。
【図１０】本発明の第１の実施形態（第２の変形例）による無線通信ネットワーク構築端末の動作の手順を示すフローチャートである。
【図１１】本発明の第１の実施形態（第２の変形例）による無線通信ネットワーク構築端末および無線通信ネットワーク参加端末の動作の手順を示すシーケンス図である。
【図１２】本発明の第２の実施形態による無線通信ネットワーク構築端末の構成を示すブロック図である。
【図１３】本発明の第２の実施形態による無線通信ネットワーク構築端末の動作の手順を示すフローチャートである。
【図１４】本発明の第２の実施形態による無線通信ネットワーク参加端末の動作の手順を示すフローチャートである。
【図１５】本発明の第２の実施形態による無線通信ネットワーク構築端末および無線通信ネットワーク参加端末の動作の手順を示すシーケンス図である。
【図１６】本発明の第３の実施形態による無線通信ネットワーク構築端末の構成を示すブロック図である。
【図１７】本発明の第３の実施形態による無線通信ネットワーク参加端末の構成を示すブロック図である。
【図１８】本発明の第３の実施形態による無線通信ネットワーク構築端末の動作の手順を示すフローチャートである。
【図１９】本発明の第３の実施形態による無線通信ネットワーク参加端末の動作の手順を示すフローチャートである。
【図２０】本発明の第３の実施形態による無線通信ネットワーク構築端末および無線通信ネットワーク参加端末の動作の手順を示すシーケンス図である。
【図２１】本発明の第４の実施形態による無線通信ネットワーク構築端末の構成を示すブロック図である。
【図２２】本発明の第４の実施形態による無線通信ネットワーク構築端末の動作の手順を示すフローチャートである。
【図２３】本発明の第５の実施形態による無線通信ネットワーク構築端末の構成を示すブロック図である。
【図２４】本発明の第５の実施形態による無線通信ネットワーク構築端末の動作の手順を示すフローチャートである。
【発明を実施するための形態】
【００１８】
以下、図面を参照し、本発明の実施形態を説明する。以下では、無線ＬＡＮ等の無線通信ネットワークを構築する無線通信端末である無線通信ネットワーク構築端末と、接続処理を行い、無線通信ネットワーク構築端末が構築した無線通信ネットワークに参加する無線通信端末である無線通信ネットワーク参加端末とを有する無線通信システムの例を説明する。
【００１９】
（第１の実施形態）
まず、本発明の第１の実施形態を説明する。図１は、本実施形態による無線通信ネットワーク構築端末の構成を示している。図１に示す無線通信ネットワーク構築端末１ａは、無線通信部１００（第１の無線通信部）と、通信制御部１０１と、無線通信プロトコル選択部１０２と、振動発生モジュール１０３と、振動制御部１０４と、無線通信ネットワーク構築部１０５と、を有する。
【００２０】
無線通信部１００は無線通信モジュール（無線通信回路）を有し、他の無線通信端末（本実施形態では無線通信ネットワーク参加端末）と無線通信を行う。通信制御部１０１は、無線通信部１００が行う無線通信を制御する。無線通信プロトコル選択部１０２は、複数の無線通信プロトコルの中からいずれかを選択する。選択された無線通信プロトコルは、無線通信ネットワーク参加端末との無線通信に使用される。振動発生モジュール１０３は、所定の無線通信プロトコルを示す振動を発生する。
【００２１】
振動制御部１０４は、振動発生モジュール１０３に対して、無線通信プロトコル選択部１０２が選択した無線通信プロトコルを示す振動を発生させる。無線通信ネットワーク構築部１０５は、無線通信ネットワークを構築する。無線通信ネットワークの構築は、無線通信ネットワークの識別子であるＳＳＩＤと、暗号鍵であるパスフレーズとを生成することにより行われる。
【００２２】
図２は、本実施形態による無線通信ネットワーク構築端末の変形例の構成を示している。図２において、図１に示した構成と同一の機能を有する構成には同一の符号が付与されている。図２に示す無線通信ネットワーク構築端末１ｂは、無線通信部１００と、通信制御部１０１（第１の通信制御部）と、無線通信プロトコル選択部１０２と、振動発生モジュール１０３と、振動制御部１０４と、無線通信ネットワーク構築部１０５と、記憶部１０６と、を有する。
【００２３】
通信制御部１０１と、無線通信プロトコル選択部１０２と、振動制御部１０４と、無線通信ネットワーク構築部１０５と、の機能は、例えば記憶部１０６に記憶されているプログラムを、無線通信ネットワーク構築端末１ｂのコンピュータ（ＣＰＵ）が読み込んで実行することにより、ソフトウェアの機能として実現される。また、このプログラムは、例えばフラッシュメモリのような「コンピュータ読み取り可能な記録媒体」により提供されてもよい。また、上述したプログラムは、このプログラムを記憶装置等に格納したコンピュータから、伝送媒体を介して、あるいは伝送媒体中の伝送波により無線通信ネットワーク構築端末１ｂに伝送されることで無線通信ネットワーク構築端末１ｂに入力されてもよい。ここで、プログラムを伝送する「伝送媒体」は、インターネット等のネットワーク（通信網）や電話回線等の通信回線（通信線）のように、情報を伝送する機能を有する媒体である。また、上述したプログラムは、前述した機能の一部を実現してもよい。さらに、上述したプログラムは、前述した機能をコンピュータに既に記録されているプログラムとの組合せで実現できる、いわゆる差分ファイル（差分プログラム）であってもよい。
【００２４】
図３は、本実施形態による無線通信ネットワーク参加端末の構成を示している。図３に示す無線通信ネットワーク参加端末２ａは、無線通信部２００（第２の無線通信部）と、通信制御部２０１（第２の通信制御部）と、振動検出部２０２と、情報抽出部２０３と、を有する。
【００２５】
無線通信部２００は無線通信モジュール（無線通信回路）を有し、他の無線通信端末（本実施形態では無線通信ネットワーク構築端末）と無線通信を行う。通信制御部２０１は、無線通信部２００が行う無線通信を制御する。振動検出部２０２は振動検出モジュール（振動検出回路）を有し、振動を検出する。情報抽出部２０３は、振動検出部２０２が検出した振動のパターンから、所定の無線通信プロトコルを示す情報を抽出する。
【００２６】
図４は、本実施形態による無線通信ネットワーク参加端末の変形例の構成を示している。図４において、図３に示した構成と同一の機能を有する構成には同一の符号が付与されている。図４に示す無線通信ネットワーク参加端末２ｂは、無線通信部２００と、通信制御部２０１と、振動検出部２０２と、情報抽出部２０３と、記憶部２０４と、を有する。
【００２７】
通信制御部２０１と、情報抽出部２０３と、の機能は、例えば記憶部２０４に記憶されているプログラムを、無線通信ネットワーク参加端末２ｂのコンピュータ（ＣＰＵ）が読み込んで実行することにより、ソフトウェアの機能として実現される。このプログラムの実現形態は、無線通信ネットワーク構築端末１ｂの通信制御部１０１と、無線通信プロトコル選択部１０２と、振動制御部１０４と、無線通信ネットワーク構築部１０５と、の機能を実現するプログラムの実現形態と同様である。
【００２８】
後述するように、無線通信ネットワーク構築端末１ａにおいて、通信制御部１０１は、無線通信プロトコル選択部１０２が選択した無線通信プロトコルに従った動作（第１の動作）が開始されていない場合、その動作を開始する。また、通信制御部１０１は、その動作が開始された後、無線通信プロトコル選択部１０２が選択した無線通信プロトコルに対応した通信接続要求メッセージが無線通信部１００で無線受信された場合、通信接続要求メッセージを無線送信した無線通信ネットワーク参加端末２ａに対して、通信接続要求を許可する旨のメッセージを無線通信部１００から無線送信させる。
【００２９】
後述するように、無線通信ネットワーク参加端末２ａにおいて、通信制御部２０１は、情報抽出部２０３が抽出した情報が示す無線通信プロトコルに従った動作（第２の動作）を開始する。また、通信制御部２０１は、その動作が開始された後、情報抽出部２０３が抽出した情報が示す無線通信プロトコルに従って通信接続要求メッセージを無線通信部２００から無線通信ネットワーク構築端末１ａへ無線送信させる。
【００３０】
次に、無線通信ネットワーク構築端末１ａの動作を説明する。無線通信ネットワーク構築端末１ｂの動作は無線通信ネットワーク構築端末１ａの動作と同様であるので、代表して無線通信ネットワーク構築端末１ａの動作を説明する。図５は、無線通信ネットワーク構築端末１ａの動作を示している。
【００３１】
まず、無線通信プロトコル選択部１０２は、複数の無線通信プロトコルの中から、無線通信ネットワーク参加端末２ａとの無線通信に使用する所定の無線通信プロトコルを選択する（ステップＳ１０１）。例えば、図１に示していない記憶部に複数の無線通信プロトコルの情報が記憶されており、ステップＳ１０１では無線通信プロトコル選択部１０２は、記憶部に記憶されている複数の無線通信プロトコルの中から、ユーザからの指示に従って所定の無線通信プロトコルを選択する。複数の無線通信プロトコルは、例えばＩＥＥＥ８０２．１１やＷＰＳである。無線通信プロトコル選択部１０２が選択した無線通信プロトコルの情報は通信制御部１０１および振動制御部１０４に通知される。
【００３２】
所定の無線通信プロトコルが選択された後、通信制御部１０１は、選択された所定の無線通信プロトコルに従った動作が既に開始されているか否かを判定する（ステップＳ１０２）。例えば無線通信プロトコルがＩＥＥＥ８０２．１１の場合、所定の無線通信プロトコルに従った動作は、無線通信ネットワークの構築、Ｂｅａｃｏｎの送信、無線通信ネットワーク参加端末との各種の通信（Ｐｒｏｂｅ  Ｒｅｑｕｅｓｔの受信／Ｐｒｏｂｅ  Ｒｅｓｐｏｎｓｅの送信、Ａｓｓｏｃｉａｔｉｏｎ  Ｒｅｑｕｅｓｔの受信／Ａｓｓｏｃｉａｔｉｏｎ  Ｒｅｓｐｏｎｓｅの送信等）である。また、例えば無線通信プロトコルがＷＰＳの場合、所定の無線通信プロトコルに従った動作は、送信するＢｅａｃｏｎや無線通信ネットワーク参加端末への応答（Ｐｒｏｂｅ  Ｒｅｓｐｏｎｓｅ、Ａｓｓｏｃｉａｔｉｏｎ  Ｒｅｓｐｏｎｓｅ等）にＷＳＣ  ＩＥ（ＷＰＳに関する付加情報）を付加することである。
【００３３】
所定の無線通信プロトコルに従った動作が既に開始されている場合、後述するステップＳ１０４の処理が行われる。例えば、無線通信ネットワーク参加端末２ａが無線通信ネットワークに参加してデータ通信を行っており、さらに、別の無線通信ネットワーク参加端末２ａが無線通信ネットワークに参加する場合がある。この場合、ステップＳ１０２では、先にデータ通信を行った無線通信ネットワーク参加端末２ａとの間で所定の無線通信プロトコルに従った動作が開始されている。また、無線通信ネットワーク参加端末２ａが無線通信ネットワークに参加してデータ通信を行い、その無線通信ネットワークから離脱した後、無線通信ネットワーク構築端末１ａが、所定の無線通信プロトコルに従った動作を終了せずに継続する場合がある。この場合、別の無線通信ネットワーク参加端末２ａが無線通信ネットワークに参加するときに行われるステップＳ１０２においても、先にデータ通信を行った無線通信ネットワーク参加端末２ａとの間で所定の無線通信プロトコルに従った動作が開始されている。
【００３４】
また、所定の無線通信プロトコルに従った動作がまだ開始されていない場合、通信制御部１０１は無線通信部１００を制御し、所定の無線通信プロトコルに従った動作を開始させる（ステップＳ１０３）。所定の無線通信プロトコルに従った動作が開始された後、振動制御部１０４は、所定の無線通信プロトコルを示す振動を発生するよう振動発生モジュール１０３を制御する。振動発生モジュール１０３は、振動制御部１０４による制御に従って、所定の無線通信プロトコルを示す振動を発生する（ステップＳ１０４）。
【００３５】
例えば無線通信プロトコルがＩＥＥＥ８０２．１１の場合、所定の無線通信プロトコルを示す振動は、振動により示される値がＩＥＥＥ８０２．１１のＳＳＩＤであるということを示す情報と、ＳＳＩＤの値と、から生成されるパターンを有する振動である。また、例えば無線通信プロトコルがＷＰＳの場合、所定の無線通信プロトコルを示す振動は、振動により示される値がＷＰＳであるということを示す情報と、ＷＰＳの方式（ＰＢＣ（Ｐｕｓｈ  Ｂｕｔｔｏｎ  Ｃｏｎｆｉｇｕｒａｔｉｏｎ）、ＰＩＮ（Ｐｅｒｓｏｎａｌ  Ｉｄｅｎｔｉｆｉｃａｔｉｏｎ  Ｎｕｍｂｅｒ）、あるいはその他の方式）を示す情報と、から生成されるパターンを有する振動である。また、所定の無線通信プロトコルを示す振動は、上記以外の方式（独自の方式でもよい）を示す情報から生成されるパターンを有する振動でもよい。
【００３６】
振動が発生した後、通信制御部１０１は、無線通信部１００が行う無線通信を監視し、所定の無線通信プロトコルに従った通信接続要求メッセージを受信したか否かを判定する（ステップＳ１０５）。例えば無線通信プロトコルがＩＥＥＥ８０２．１１の場合、通信接続要求メッセージは、ＷＳＣ  ＩＥを含まず、無線通信ネットワークのＳＳＩＤを含むＡｓｓｏｃｉａｔｉｏｎ  Ｒｅｑｕｅｓｔである。また、例えば無線通信プロトコルがＷＰＳの場合、通信接続要求メッセージは、ＷＳＣ  ＩＥを含むＡｓｓｏｃｉａｔｉｏｎ  Ｒｅｑｕｅｓｔである。この場合のＷＳＣ  ＩＥは、例えばバージョン情報、通信接続要求メッセージを無線送信した端末のＷＰＳでの役割（無線通信ネットワーク参加端末という役割、または無線通信ネットワーク参加端末を受け入れる端末という役割）などの付加情報からなる。
【００３７】
通信接続要求メッセージが受信されていない場合、通信制御部１０１は、無線通信部１００が行う無線通信の監視と、通信接続要求メッセージを受信したか否かの判定を継続する。通信接続要求メッセージが受信された場合、通信制御部１０１は、無線通信部１００を制御し、通信接続要求メッセージの送信元である無線通信ネットワーク参加端末２ａに対して、通信接続要求を許可する旨のメッセージを無線送信させる。これにより、無線通信部１００は、通信接続要求を許可する旨のメッセージを無線通信ネットワーク参加端末２ａへ無線送信する（ステップＳ１０６）。通信接続要求を許可する旨のメッセージは、例えばＳｔａｔｕｓ  ｃｏｄｅ＝０（ｓｕｃｃｅｓｓ）を含むＡｓｓｏｃｉａｔｉｏｎ  Ｒｅｓｐｏｎｓｅである。
【００３８】
無線通信プロトコルがＩＥＥＥ８０２．１１の場合、ステップＳ１０３で無線通信プロトコルに従った動作が開始されることで無線通信ネットワークが構築される。また、無線通信プロトコルがＷＰＳの場合、ステップＳ１０３で無線通信プロトコルに従った動作が開始される前に無線通信ネットワークが構築される。その他の場合には、ステップＳ１０３で無線通信プロトコルに従った動作が開始される前に無線通信ネットワークが構築されてもよいし、無線通信ネットワーク参加端末２ａからの通信接続要求メッセージが受信されるまでに無線通信ネットワークが構築されてもよい。
【００３９】
次に、無線通信ネットワーク参加端末２ａの動作を説明する。無線通信ネットワーク参加端末２ｂの動作は無線通信ネットワーク参加端末２ａの動作と同様であるので、代表して無線通信ネットワーク参加端末２ａの動作を説明する。図６は、無線通信ネットワーク参加端末２ａの動作を示している。
【００４０】
まず、振動検出部２０２は、振動の監視を行い、振動が検出されたか否かを判定する（ステップＳ２０１）。例えば、無線通信ネットワーク構築端末１ａと無線通信ネットワーク参加端末２ａとが接触している場合、無線通信ネットワーク構築端末１ａが発生した振動を無線通信ネットワーク参加端末２ａが検出することが可能となる。振動が検出されなかった場合、振動検出部２０２は、振動の監視と、振動が検出されたか否かの判定とを継続する。
【００４１】
振動が検出された場合、振動検出部２０２は、検出された振動のパターンを示す情報を情報抽出部２０３に通知する。情報抽出部２０３は、振動検出部２０２から通知された情報から所定の無線通信プロトコルを示す情報を抽出する処理を行い、情報を抽出できたか否かを判定する（ステップＳ２０２）。例えば、図２に示していない記憶部に、所定の無線通信プロトコルを示す情報が記憶されており、情報抽出部２０３は、振動検出部２０２から通知された情報と、記憶部に記憶されている情報とを比較し、両者が一致した場合に、記憶部に記憶されている情報に対応する無線通信プロトコルを示す情報を抽出できたと判定する。
【００４２】
例えばＩＥＥＥ８０２．１１を示す振動が検出された場合、情報抽出部２０３は、振動により示される値がＩＥＥＥ８０２．１１のＳＳＩＤであるということを示す情報と、ＳＳＩＤの値とを抽出する。また、例えば無線通信プロトコルがＷＰＳの場合、情報抽出部２０３は、振動により示される値がＷＰＳであるということを示す情報と、ＷＰＳの方式を示す情報とを抽出する。
【００４３】
情報を抽出できなかった場合、振動検出部２０２は、振動の監視と、振動が検出されたか否かの判定とを行う（ステップＳ２０１）。また、情報を抽出できた場合、通信制御部２０１は無線通信部２００を制御し、情報抽出部２０３が抽出した情報が示す所定の無線通信プロトコルに従った動作を開始させる（ステップＳ２０３）。所定の無線通信プロトコルに従った動作は、図５のステップＳ１０２で説明した動作と同様である。
【００４４】
所定の無線通信プロトコルに従った動作が開始された後、通信制御部２０１は、無線通信部２００を制御し、所定の無線通信プロトコルに従って通信接続要求メッセージを生成し、生成した通信接続要求メッセージを無線通信ネットワーク構築端末１ａへ無線送信させる。これにより、無線通信部２００は通信接続要求メッセージを無線通信ネットワーク構築端末１ａへ無線送信する（ステップＳ２０４）。
【００４５】
次に、図５および図６に従った動作の例を説明する。図７は、無線通信ネットワーク構築端末１ａおよび無線通信ネットワーク参加端末２ａの動作の例を示している。図７に示す例では、無線通信ネットワーク構築端末１ａは、図７に示す動作が開始された時点で無線通信ネットワークの構築を完了しており、無線通信プロトコルに従った動作を既に開始している。
【００４６】
無線通信ネットワーク構築端末１ａが、無線通信プロトコルを示す振動を発生する（ステップＳ１０４に対応）と、無線通信ネットワーク参加端末２ａは振動を検出する（ステップＳ２０１に対応）。続いて、無線通信ネットワーク参加端末２ａは、検出した振動のパターンを示す情報から無線通信プロトコルを示す情報を抽出し（ステップＳ２０２に対応）、抽出した情報が示す無線通信プロトコルに従った動作を開始する（ステップＳ２０３に対応）。
【００４７】
続いて、無線通信ネットワーク参加端末２ａは、抽出した情報が示す無線通信プロトコルで通信接続要求メッセージを無線送信する（ステップＳ２０４に対応）。無線通信ネットワーク構築端末１ａは、無線通信ネットワーク参加端末２ａから無線送信された通信接続要求メッセージを無線受信し（ステップＳ１０５に対応）、通信接続要求を許可するメッセージを無線通信ネットワーク参加端末２ａへ送信する（ステップＳ１０６に対応）。
【００４８】
次に、図５および図６に従った動作の後に行われる動作の例を説明する。無線通信プロトコルがＩＥＥＥ８０２．１１であって、セキュリティ機能が設定されていない場合、他の処理を必要とせず、無線通信ネットワーク構築端末１ａと無線通信ネットワーク参加端末２ａとの間で、無線によるデータ通信が可能となる。また、無線通信プロトコルがＩＥＥＥ８０２．１１であって、セキュリティ機能が設定されている場合、無線通信ネットワーク構築端末１ａと無線通信ネットワーク参加端末２ａとの間で、無線によるデータ  通信時に使用する鍵を生成するための認証処理が行われ、認証処理が完了した後、無線によるデータ通信が可能となる。
【００４９】
無線通信プロトコルがＷＰＳの場合、ＷＰＳによるセットアップ処理の実施中に接続相手の端末と行う暗号化通信で使用される固有情報（パスワード）が設定される。固有情報が設定された後、設定された固有情報を用いて接続相手の端末と暗号化通信を行うことにより、所定の認証方式および所定の暗号化方式を特定するセットアップ処理が行われる。
【００５０】
セットアップ処理の終了後、通信接続要求メッセージの送信と、通信接続要求を許可する旨のメッセージの送信とが行われる。さらに、無線通信ネットワーク参加端末２ａがセットアップ処理で特定した認証方式および暗号化方式が、セキュリティ機能を使用しない方式である場合、他の処理を必要とせず、無線通信ネットワーク構築端末１ａと無線通信ネットワーク参加端末２ａとの間で、無線によるデータ通信が可能となる。また、無線通信ネットワーク参加端末２ａがセットアップ処理で特定した認証方式および暗号化方式が、セキュリティ機能を使用する方式である場合、無線通信ネットワーク構築端末１ａと無線通信ネットワーク参加端末２ａとの間で、無線によるデータ通信時に使用する鍵を生成するための認証処理が行われ、認証処理が完了した後、無線によるデータ通信が可能となる。
【００５１】
上述したように、本実施形態によれば、無線通信ネットワーク構築端末１ａは複数の無線通信プロトコルから選択した無線通信プロトコルを示す振動を発生し、無線通信ネットワーク参加端末２ａは、その振動が示す無線通信プロトコルに従った通信接続要求メッセージを送信する。これによって、無線通信ネットワーク構築端末１ａと無線通信ネットワーク参加端末２ａとが複数の無線通信プロトコルに対応することができる。
【００５２】
（第１の変形例）
次に、本実施形態の第１の変形例を説明する。図８は、無線通信ネットワーク構築端末１ａの動作を示している。図８において、図５に示した動作と同一の動作には同一のステップ番号が付与されている。図８では、図５に示した動作に対して、ステップＳ１１１の動作が追加されている。
【００５３】
ステップＳ１０５で通信接続要求メッセージが受信されていない場合、通信制御部１０１は、ステップＳ１０４で振動が発生してから所定の時間が経過したか否かを判定する（ステップＳ１１１）。所定の時間が経過していない場合、通信制御部１０１は、無線通信部１００が行う無線通信の監視と、通信接続要求メッセージを受信したか否かの判定を行う（ステップＳ１０５）。また、所定の時間が経過した場合、通信制御部１０１は、選択された所定の無線通信プロトコルに従った動作が既に開始されているか否かを判定する（ステップＳ１０２）。上記の動作以外の動作については、図５に示した動作と同様であるので、説明を省略する。また、無線通信ネットワーク参加端末２ａの動作については、図６に示した動作と同様であるので、説明を省略する。
【００５４】
図９は、無線通信ネットワーク構築端末１ａおよび無線通信ネットワーク参加端末２ａの動作の例を示している。図９に示す例では、無線通信ネットワーク構築端末１ａは、図９に示す動作が開始された時点で無線通信ネットワークの構築を完了しており、無線通信プロトコルに従った動作を既に開始している。
【００５５】
無線通信ネットワーク構築端末１ａが、無線通信プロトコルを示す振動を発生する（ステップＳ１０４に対応）が、この例では無線通信ネットワーク参加端末２ａは振動を検出しない（ステップＳ２０１に対応）。例えば、無線通信ネットワーク構築端末１ａと無線通信ネットワーク参加端末２ａが接触しておらず、無線通信ネットワーク構築端末１ａから無線通信ネットワーク参加端末２ａに振動が伝わらないことにより、無線通信ネットワーク参加端末２ａが振動を検出できない場合がある。振動が発生してから所定時間が経過する（ステップＳ１１１に対応）と、無線通信ネットワーク構築端末１ａは、前回発生した振動が示す無線通信プロトコルと同一の無線通信プロトコルを示す振動を発生する（ステップＳ１０４に対応）。
【００５６】
無線通信ネットワーク参加端末２ａは、無線通信ネットワーク構築端末１ａが発生した振動を検出する（ステップＳ２０１に対応）。続いて、無線通信ネットワーク参加端末２ａは、検出した振動のパターンを示す情報から無線通信プロトコルを示す情報を抽出し（ステップＳ２０２に対応）、抽出した情報が示す無線通信プロトコルに従った動作を開始する（ステップＳ２０３に対応）。
【００５７】
続いて、無線通信ネットワーク参加端末２ａは、抽出した情報が示す無線通信プロトコルで通信接続要求メッセージを無線送信する（ステップＳ２０４に対応）。無線通信ネットワーク構築端末１ａは、無線通信ネットワーク参加端末２ａから無線送信された通信接続要求メッセージを無線受信し（ステップＳ１０５に対応）、通信接続要求を許可するメッセージを無線通信ネットワーク参加端末２ａへ送信する（ステップＳ１０６に対応）。
【００５８】
図２に示した無線通信ネットワーク構築端末１ｂおよび図４に示した無線通信ネットワーク参加端末２ｂも、本変形例で示した動作を行うことが可能である。詳細な動作は、上述した動作と同様であるので、説明を省略する。
【００５９】
本変形例においても、無線通信ネットワーク構築端末１ａと無線通信ネットワーク参加端末２ａとが複数の無線通信プロトコルに対応することができる。また、無線通信ネットワーク構築端末１ａが発生した振動が無線通信ネットワーク参加端末２ａへ正しく伝わらない場合であっても、無線通信ネットワーク構築端末１ａが振動を再度発生するので、無線通信ネットワーク参加端末２ａが通信接続をより確実に行うことができる。
【００６０】
（第２の変形例）
次に、本実施形態の第２の変形例を説明する。図１０は、無線通信ネットワーク構築端末１ａの動作を示している。図１０において、図８に示した動作と同一の動作には同一のステップ番号が付与されている。図１０では、図８に示した動作に対して、ステップＳ１２１の動作が追加されている。
【００６１】
ステップＳ１１１で所定の時間が経過した場合、無線通信プロトコル選択部１０２は、複数の無線通信プロトコルの中から、前回選択した無線通信プロトコルとは異なる所定の無線通信プロトコルを選択する（ステップＳ１２１）。ステップＳ１２１で選択される無線通信プロトコルは、前回発生した振動が示す無線通信プロトコルとは異なる無線通信プロトコルである。無線通信プロトコルが選択された後、通信制御部１０１は、選択された所定の無線通信プロトコルに従った動作が既に開始されているか否かを判定する（ステップＳ１０２）。上記の動作以外の動作については、図８に示した動作と同様であるので、説明を省略する。また、無線通信ネットワーク参加端末２ａの動作については、図６に示した動作と同様であるので、説明を省略する。
【００６２】
図１１は、無線通信ネットワーク構築端末１ａおよび無線通信ネットワーク参加端末２ａの動作の例を示している。図１１に示す例では、無線通信ネットワーク構築端末１ａは、図１１に示す動作が開始された時点で無線通信ネットワークの構築を完了しており、無線通信プロトコルに従った動作を既に開始している。
【００６３】
無線通信ネットワーク構築端末１ａが、第１の無線通信プロトコルを示す振動を発生する（ステップＳ１０４に対応）が、この例では無線通信ネットワーク参加端末２ａは振動を検出しない（ステップＳ２０１に対応）。例えば、無線通信ネットワーク構築端末１ａと無線通信ネットワーク参加端末２ａが接触しておらず、無線通信ネットワーク構築端末１ａから無線通信ネットワーク参加端末２ａに振動が伝わらないことにより、無線通信ネットワーク参加端末２ａが振動を検出できない場合がある。振動が発生してから所定時間が経過する（ステップＳ１１１に対応）と、無線通信ネットワーク構築端末１ａは、前回発生した振動が示す第１の無線通信プロトコルとは異なる第２の無線通信プロトコルを示す振動を発生する（ステップＳ１２１に対応）。振動を発生した後、無線通信ネットワーク構築端末１ａは、第２の無線通信プロトコルに従った動作を開始する（ステップＳ１０３に対応）。
【００６４】
無線通信ネットワーク参加端末２ａは、無線通信ネットワーク構築端末１ａが発生した振動を検出する（ステップＳ２０１に対応）。続いて、無線通信ネットワーク参加端末２ａは、検出した振動のパターンを示す情報から第２の無線通信プロトコルを示す情報を抽出し（ステップＳ２０２に対応）、抽出した情報が示す第２の無線通信プロトコルに従った動作を開始する（ステップＳ２０３に対応）。
【００６５】
続いて、無線通信ネットワーク参加端末２ａは、抽出した情報が示す第２の無線通信プロトコルで通信接続要求メッセージを無線送信する（ステップＳ２０４に対応）。無線通信ネットワーク構築端末１ａは、無線通信ネットワーク参加端末２ａから無線送信された通信接続要求メッセージを無線受信し（ステップＳ１０５に対応）、通信接続要求を許可するメッセージを無線通信ネットワーク参加端末２ａへ送信する（ステップＳ１０６に対応）。
【００６６】
図２に示した無線通信ネットワーク構築端末１ｂおよび図４に示した無線通信ネットワーク参加端末２ｂも、本変形例で示した動作を行うことが可能である。詳細な動作は、上述した動作と同様であるので、説明を省略する。
【００６７】
本変形例においても、無線通信ネットワーク構築端末１ａと無線通信ネットワーク参加端末２ａとが複数の無線通信プロトコルに対応することができる。また、無線通信ネットワーク構築端末１ａが発生した振動が無線通信ネットワーク参加端末２ａへ正しく伝わらない場合であっても、無線通信ネットワーク構築端末１ａが振動を再度発生するので、無線通信ネットワーク参加端末２ａが通信接続をより確実に行うことができる。さらに、無線通信ネットワーク構築端末１ａが発生した振動が、無線通信ネットワーク参加端末２ａがサポートしていない無線通信プロトコルを示している場合であっても、無線通信ネットワーク構築端末１ａが、前回発生した振動が示す無線通信プロトコルとは異なる無線通信プロトコルを示す振動を発生するので、無線通信ネットワーク参加端末２ａが通信接続をより確実に行うことができる。
【００６８】
（第３の変形例）
次に、本実施形態の第３の変形例を説明する。本変形例における無線通信ネットワーク参加端末２ａにおける振動検出部２０２はモーションセンサであり、モーションセンサが振動を検出する。本変形例における詳細な動作は、図５および図６に示した動作と同様である。
【００６９】
図２に示した無線通信ネットワーク構築端末１ｂおよび図４に示した無線通信ネットワーク参加端末２ｂも、本変形例で示した動作を行うことが可能である。詳細な動作は、上述した動作と同様であるので、説明を省略する。
【００７０】
本変形例においても、無線通信ネットワーク構築端末１ａと無線通信ネットワーク参加端末２ａとが複数の無線通信プロトコルに対応することができる。また、無線通信ネットワーク参加端末２ａが、モーションセンサを有する端末（デジタルスチルカメラや、携帯電話、スマートフォン、タブレット等）である場合、端末が本来備えている機能を利用して振動を検出することが可能となる。このため、コストの増大を防止することができる。
【００７１】
（第２の実施形態）
次に、本発明の第２の実施形態を説明する。図１２は、本実施形態による無線通信ネットワーク構築端末の構成を示している。図１２において、図１に示した構成と同一の機能を有する構成には同一の符号が付与されている。図１２に示す無線通信ネットワーク構築端末１ｃでは、図１に示した無線通信ネットワーク構築端末１ａの構成に対して記憶部１０６が追加されている。記憶部１０６は、無線通信ネットワークの設定情報を記憶する。また、本実施形態では、振動制御部１０４は、振動発生モジュール１０３に対して、無線通信プロトコル選択部１０２が選択した無線通信プロトコルを示す振動と、記憶部１０６に記憶されている無線通信ネットワークの設定情報を示す振動とを発生させる。
【００７２】
本実施形態による無線通信ネットワーク参加端末の構成は、図３に示した無線通信ネットワーク参加端末２ａの構成と同一である。ただし、本実施形態では、情報抽出部２０３は、振動検出部２０２が検出した振動のパターンから、所定の無線通信プロトコルを示す情報と、無線通信ネットワークの設定情報とを抽出する。
【００７３】
図１３は、無線通信ネットワーク構築端末１ｃの動作を示している。図１３において、図５に示した動作と同一の動作には同一のステップ番号が付与されている。図１３では、図５に示した動作に対して、ステップＳ１３１の動作が追加されると共にステップＳ１０４の動作がステップＳ１３２の動作に変更されている。
【００７４】
ステップＳ１０１で所定の無線通信プロトコルが選択された後、無線通信ネットワークの設定情報が記憶部１０６に入力され、記憶部１０６は無線通信ネットワークの設定情報を記憶する（ステップＳ１３１）。例えば、無線通信ネットワーク構築端末１ｃが、図１２に示していない操作部を有しており、ユーザが操作部を操作することにより、無線通信ネットワークの設定情報が無線通信ネットワーク構築端末１ｃに入力され、記憶部１０６に記憶される。あるいは、ランダムな値、ＭＡＣ（Ｍｅｄｉａ  Ａｃｃｅｓｓ  Ｃｏｎｔｒｏｌ）アドレスに基づく値、無線通信ネットワーク構築端末１ｃのシリアル番号に基づく値等のいずれかを含む無線通信ネットワークの設定情報が無線通信ネットワーク構築端末１ｃの内部で生成され、記憶部１０６に記憶される。あるいは、通信等により無線通信ネットワークの設定情報が無線通信ネットワーク構築端末１ｃに入力され、記憶部１０６に記憶される。無線通信ネットワークの設定情報は無線通信ネットワーク構築端末１ｃの出荷前に無線通信ネットワーク構築端末１ｃの内部に予め記憶されていてもよい。
【００７５】
無線通信ネットワークの設定情報は、例えば認証方式（ｏｐｅｎ，ＷＰＡ，ＷＰＡ２等）、暗号化方式（ＷＥＰ，ＴＫＩＰ，ＡＥＳ−ＣＣＭＰなど）、暗号鍵（ＷＥＰ鍵またはパスフレーズ（ＷＰＡやＷＰＡ２の場合））等の情報を含む。暗号化方式の情報は含まれていなくてもよい。
【００７６】
無線通信ネットワークの設定情報が記憶部１０６に記憶された後、通信制御部１０１は、選択された所定の無線通信プロトコルに従った動作が既に開始されているか否かを判定する（ステップＳ１０２）。また、ステップＳ１０２で所定の無線通信プロトコルに従った動作がまだ開始されていない場合、あるいはステップＳ１０３で無線通信プロトコルに従った動作が開始された後、以下の処理が行われる。振動制御部１０４は、ステップＳ１０１で選択された所定の無線通信プロトコルを示す振動と、記憶部１０６に記憶されている無線通信ネットワークの設定情報を示す振動とを続けて発生するよう振動発生モジュール１０３を制御する。振動発生モジュール１０３は、振動制御部１０４による制御に従って、所定の無線通信プロトコルを示す振動と、記憶部１０６に記憶されている無線通信ネットワークの設定情報を示す振動とを発生する（ステップＳ１３２）。
【００７７】
振動は、例えば、無線通信プロトコルと無線通信ネットワークの設定情報とのそれぞれの情報の種類（無線通信プロトコル、認証方式、暗号化方式、パスフレーズ等）を示すためのヘッダ部分となる振動と、それぞれの種類の値となる振動、とからなる。例えば、以下の（１）〜（８）の振動がこの順番で続けて発生する。
（１）次の振動が無線通信プロトコルであることを示す振動。
（２）所定の無線通信プロトコルを示す振動。
（３）次の振動が認証方式の値であることを示す振動。
（４）認証方式の値を示す振動。
（５）次の振動が暗号化方式の値であることを示す振動。
（６）暗号化方式の値を示す振動。
（７）次の振動がパスフレーズであることを示す振動。
（８）パスフレーズの文字列を示す振動。
【００７８】
振動が発生した後、通信制御部１０１は、無線通信部１００が行う無線通信を監視し、所定の無線通信プロトコルに従った通信接続要求メッセージを受信したか否かを判定する（ステップＳ１０５）。上記の動作以外の動作については、図５に示した動作と同様であるので、説明を省略する。
【００７９】
図１４は、無線通信ネットワーク参加端末２ａの動作を示している。図１４において、図６に示した動作と同一の動作には同一のステップ番号が付与されている。図１４では、図６に示した動作に対して、ステップＳ２０２の動作がステップＳ２３１の動作に変更されると共にステップＳ２０４の動作がステップＳ２３２の動作に変更されている。
【００８０】
ステップＳ２０１で振動が検出された場合、振動検出部２０２は、検出された振動のパターンを示す情報を情報抽出部２０３に通知する。情報抽出部２０３は、振動検出部２０２から通知された情報から、所定の無線通信プロトコルを示す情報と、無線通信ネットワークの設定情報とを抽出する処理を行い、情報を抽出できたか否かを判定する（ステップＳ２３１）。例えば、図２に示していない記憶部に、所定の無線通信プロトコルを示す情報と、無線通信ネットワークの設定情報とが記憶されており、情報抽出部２０３は、振動検出部２０２から通知された情報と、記憶部に記憶されている情報とを比較し、両者が一致した場合に、記憶部に記憶されている情報に対応する、無線通信プロトコルを示す情報と、無線通信ネットワークの設定情報とを抽出できたと判定する。
【００８１】
情報を抽出できなかった場合、振動検出部２０２は、振動の監視と、振動が検出されたか否かの判定とを行う（ステップＳ２０１）。また、情報を抽出できた場合、通信制御部２０１は無線通信部２００を制御し、情報抽出部２０３が抽出した情報が示す所定の無線通信プロトコルに従った動作を開始させる（ステップＳ２０３）。
【００８２】
所定の無線通信プロトコルに従った動作が開始された後、通信制御部２０１は、無線通信部２００を制御し、所定の無線通信プロトコルに従って通信接続要求メッセージを生成する。また、通信制御部２０１は、生成した通信接続要求メッセージを、情報抽出部２０３が抽出した情報が示す設定情報を用いて無線通信ネットワーク構築端末１ａへ無線送信させる。これにより、無線通信部２００は通信接続要求メッセージを無線通信ネットワーク構築端末１ａへ無線送信する（ステップＳ２３２）。上記の動作以外の動作については、図６に示した動作と同様であるので、説明を省略する。
【００８３】
図１５は、無線通信ネットワーク構築端末１ｃおよび無線通信ネットワーク参加端末２ａの動作の例を示している。図１５に示す例では、無線通信ネットワーク構築端末１ｃは、図１５に示す動作が開始された時点で無線通信ネットワークの構築を完了しており、無線通信プロトコルに従った動作を既に開始している。
【００８４】
無線通信ネットワーク構築端末１ｃは、無線通信プロトコルを示す振動と、無線通信ネットワークの設定情報を示す振動とを発生する（ステップＳ１３２に対応）。無線通信ネットワーク参加端末２ａは振動を検出する（ステップＳ２０１に対応）。続いて、無線通信ネットワーク参加端末２ａは、検出した振動のパターンを示す情報から無線通信プロトコルを示す情報と、無線通信ネットワークの設定情報とを抽出する（ステップＳ２３１に対応）。さらに、無線通信ネットワーク参加端末２ａは、抽出した情報が示す無線通信プロトコルに従った動作を開始する（ステップＳ２０３に対応）。
【００８５】
続いて、無線通信ネットワーク参加端末２ａは、抽出した情報が示す無線通信プロトコルで、抽出した情報が示す設定情報を用いて通信接続要求メッセージを無線送信する（ステップＳ２３２に対応）。無線通信ネットワーク構築端末１ｃは、無線通信ネットワーク参加端末２ａから無線送信された通信接続要求メッセージを無線受信し（ステップＳ１０５に対応）、通信接続要求を許可するメッセージを無線通信ネットワーク参加端末２ａへ送信する（ステップＳ１０６に対応）。
【００８６】
図２に示した無線通信ネットワーク構築端末１ｂおよび図４に示した無線通信ネットワーク参加端末２ｂも、本実施形態で示した動作を行うことが可能である。詳細な動作は、上述した動作と同様であるので、説明を省略する。
【００８７】
本実施形態によれば、無線通信ネットワーク構築端末１ｃと無線通信ネットワーク参加端末２ａとが複数の無線通信プロトコルに対応することができる。また、無線通信ネットワーク参加端末２ａは、検出した振動から無線通信ネットワークの設定情報を取得することができる。これにより、無線通信ネットワーク参加端末２ａは、セキュリティが設定された無線通信ネットワークの通信接続に必要な情報を取得することができるので、ユーザの操作を軽減することができる。
【００８８】
（第３の実施形態）
次に、本発明の第３の実施形態を説明する。図１６は、本実施形態による無線通信ネットワーク構築端末の構成を示している。図１６において、図１に示した構成と同一の機能を有する構成には同一の符号が付与されている。図１６に示す無線通信ネットワーク構築端末１ｄでは、図１に示した無線通信ネットワーク構築端末１ａの構成に対して検知部１０７が追加されている。検知部１０７は、無線通信ネットワーク構築端末１ｄに対する外部の物体（本実施形態では無線通信ネットワーク参加端末）の接触を検知する。
【００８９】
図１７は、本実施形態による無線通信ネットワーク参加端末の構成を示している。図１７において、図３に示した構成と同一の機能を有する構成には同一の符号が付与されている。図１７に示す無線通信ネットワーク参加端末２ｃでは、図３に示した無線通信ネットワーク参加端末２ａの構成に対して検知部２０５が追加されている。検知部２０５は、無線通信ネットワーク参加端末２ｃに対する外部の物体（本実施形態では無線通信ネットワーク構築端末）の接触を検知する。
【００９０】
図１８は、無線通信ネットワーク構築端末１ｄの動作を示している。図１８において、図５に示した動作と同一の動作には同一のステップ番号が付与されている。図１８では、図５に示した動作に対して、ステップＳ１４１の動作が追加されている。
【００９１】
まず、検知部１０７は、無線通信ネットワーク参加端末２ｃの接触の監視を行い、無線通信ネットワーク参加端末２ｃの接触が検出されたか否かを判定する（ステップＳ１４１）。例えば、無線通信ネットワーク構築端末１ｄは、手振れ検出機能を有するカメラ（撮像装置）である。この場合、検知部１０７は、手振れを検出する加速度センサ等のセンサで検出された振動のパターンが、無線通信ネットワーク参加端末２ｃの接触時に発生する特徴的な振動のパターンと一致するか否かを判定することにより、無線通信ネットワーク参加端末２ｃの接触が検出されたか否かを判定する。
【００９２】
あるいは、例えば無線通信ネットワーク構築端末１ｄはタッチパネルを有しており、無線通信ネットワーク構築端末１ｄと無線通信ネットワーク参加端末２ｃとが接触しているときに無線通信ネットワーク参加端末２ｃがタッチパネルに接触するように各端末が構成されている。この場合、検知部１０７は、タッチパネルに対する接触の状態に基づいて、無線通信ネットワーク参加端末２ｃの接触が検出されたか否かを判定する。例えば、検知部１０７は、タッチパネルにおいてタッチされている領域の面積が所定値以上であるか否かを判定する。
【００９３】
あるいは、例えば無線通信ネットワーク構築端末１ｄと無線通信ネットワーク参加端末２ｃとをはめ合わせることができるように各端末が構成されており、各端末がはめ合わされたときに位置等の状態が変化する機構（部材）が無線通信ネットワーク構築端末１ｄに設けられている。この場合、検知部１０７は、その機構の状態が変化したか否かを判定することにより、無線通信ネットワーク参加端末２ｃの接触が検出されたか否かを判定する。
【００９４】
接触が検出されなかった場合、検知部１０７は、接触の監視と、接触が検出されたか否かの判定とを継続する。また、接触が検出された場合、無線通信プロトコル選択部１０２は、複数の無線通信プロトコルの中から所定の無線通信プロトコルを選択する（ステップＳ１０１）。上記の動作以外の動作については、図５に示した動作と同様であるので、説明を省略する。
【００９５】
図１９は、無線通信ネットワーク参加端末２ｃの動作を示している。図１９において、図６に示した動作と同一の動作には同一のステップ番号が付与されている。図１９では、図６に示した動作に対して、ステップＳ２４１の動作が追加されている。
【００９６】
まず、検知部２０５は、無線通信ネットワーク構築端末１ｄの接触の監視を行い、無線通信ネットワーク構築端末１ｄの接触が検出されたか否かを判定する（ステップＳ２４１）。ステップＳ２４１における動作の具体例は、ステップＳ１４１における動作の具体例と同様である。
【００９７】
接触が検出されなかった場合、検知部２０５は、接触の監視と、接触が検出されたか否かの判定とを継続する。また、接触が検出された場合、振動検出部２０２は、振動の監視を行い、振動が検出されたか否かを判定する（ステップＳ２０１）。上記の動作以外の動作については、図６に示した動作と同様であるので、説明を省略する。
【００９８】
図２０は、無線通信ネットワーク構築端末１ｄおよび無線通信ネットワーク参加端末２ｃの動作の例を示している。図２０に示す例では、無線通信ネットワーク構築端末１ｄは、図２０に示す動作が開始された時点で無線通信ネットワークの構築を完了しており、無線通信プロトコルに従った動作を既に開始している。
【００９９】
無線通信ネットワーク構築端末１ｄと無線通信ネットワーク参加端末２ｃとが互いに接触すると、双方の端末は接触を検出する（ステップＳ１４１，Ｓ２４１に対応）。無線通信ネットワーク構築端末１ａは、接触を検出した後、無線通信プロトコルを示す振動を発生する（ステップＳ１０４に対応）。また、無線通信ネットワーク参加端末２ａは、接触を検出した後、振動を検出する（ステップＳ２０１に対応）。以降の動作については、図７に示した動作と同様であるので、説明を省略する。
【０１００】
図２に示した無線通信ネットワーク構築端末１ｂの構成に対して検知部１０７を追加して構成される無線通信ネットワーク構築端末および図４に示した無線通信ネットワーク参加端末２ｂの構成に対して検知部２０５を追加して構成される無線通信ネットワーク参加端末も、本実施形態で示した動作を行うことが可能である。詳細な動作は、上述した動作と同様であるので、説明を省略する。
【０１０１】
本実施形態によれば、無線通信ネットワーク構築端末１ｄと無線通信ネットワーク参加端末２ｃとが複数の無線通信プロトコルに対応することができる。また、無線通信ネットワーク構築端末１ｄおよび無線通信ネットワーク参加端末２ｃは、自身への接触があったことを確認した後に振動の発生または振動の検出を行うので、接触がない状態では振動の発生または振動の検出を行う必要がない。このため、無駄な電力の消費を削減することができる。また、接触がない状態で振動が発生してユーザを混乱させるという事態を回避することができる。
【０１０２】
（第４の実施形態）
次に、本発明の第４の実施形態を説明する。図２１は、本実施形態による無線通信ネットワーク構築端末の構成を示している。図２１において、図１６に示した構成と同一の機能を有する構成には同一の符号が付与されている。図２１に示す無線通信ネットワーク構築端末１ｅでは、図１６に示した無線通信ネットワーク構築端末１ｄの構成に対して撮像部１０８が追加されている。撮像部１０８は、撮像素子を有しており、被写体を撮像して画像信号を生成する。また、本実施形態では、振動制御部１０４は、振動発生モジュール１０３に対して、無線通信プロトコルを示す振動と、撮像部１０８が有する撮像素子の前面に配置されているフィルタに付着する物（細かいゴミ等）を落とす振動とを発生させる。本実施形態による無線通信ネットワーク参加端末の構成は、図１７に示した無線通信ネットワーク参加端末２ｃの構成と同一である。
【０１０３】
図２２は、無線通信ネットワーク構築端末１ｅの動作を示している。図２２において、図１８に示した動作と同一の動作には同一のステップ番号が付与されている。図２２では、図１８に示した動作に対して、ステップＳ１５１，Ｓ１５２の動作が追加されている。
【０１０４】
ステップＳ１４１で接触が検出されなかった場合、振動制御部１０４は、撮像部１０８に関連する振動を発生させる指示があるか否かを判定する（ステップＳ１５１）。撮像部１０８に関連する振動を発生させる指示がない場合、検知部１０７は、無線通信ネットワーク参加端末２ｃの接触の監視を行い、無線通信ネットワーク参加端末２ｃの接触が検出されたか否かを判定する（ステップＳ１４１）。
【０１０５】
撮像部１０８に関連する振動を発生させる指示がある場合、振動制御部１０４は、撮像部１０８が有する撮像素子の前面に配置されているフィルタに付着する物を落とす振動を発生するよう振動発生モジュール１０３を制御する。振動発生モジュール１０３は、振動制御部１０４による制御に従って、撮像部１０８が有する撮像素子の前面に配置されているフィルタに付着する物を落とす振動を発生する（ステップＳ１５２）。振動が発生した後、検知部１０７は、無線通信ネットワーク参加端末２ｃの接触の監視を行い、無線通信ネットワーク参加端末２ｃの接触が検出されたか否かを判定する（ステップＳ１４１）。上記の動作以外の動作については、図１８に示した動作と同様であるので、説明を省略する。また、無線通信ネットワーク参加端末２ｃの動作については、図１９に示した動作と同様であるので、説明を省略する。
【０１０６】
図２に示した無線通信ネットワーク構築端末１ｂの構成に対して検知部１０７および撮像部１０８を追加して構成される無線通信ネットワーク構築端末および図４に示した無線通信ネットワーク参加端末２ｂの構成に対して検知部２０５を追加して構成される無線通信ネットワーク参加端末も、本実施形態で示した動作を行うことが可能である。詳細な動作は、上述した動作と同様であるので、説明を省略する。
【０１０７】
本実施形態によれば、無線通信ネットワーク構築端末１ｅと無線通信ネットワーク参加端末２ｃとが複数の無線通信プロトコルに対応することができる。また、無線通信ネットワーク構築端末１ｅが、撮像部１０８を有する端末（デジタルスチルカメラや、携帯電話、スマートフォン、タブレット等）である場合、端末が本来備えている機能を利用して振動を発生することが可能となる。このため、コストの増大を防止することができる。
【０１０８】
（第５の実施形態）
次に、本発明の第５の実施形態を説明する。図２３は、本実施形態による無線通信ネットワーク構築端末の構成を示している。図２３において、図１６に示した構成と同一の機能を有する構成には同一の符号が付与されている。図２３に示す無線通信ネットワーク構築端末１ｆでは、図１６に示した無線通信ネットワーク構築端末１ｄの構成に対して公衆網インターフェース１０９が追加されている。公衆網インターフェース１０９は、電話回線用のインターフェースであり、音声等の通信を行う。また、本実施形態では、振動制御部１０４は、振動発生モジュール１０３に対して、無線通信プロトコルを示す振動と、公衆網インターフェース１０９への着信を示す振動とを発生させる。本実施形態による無線通信ネットワーク参加端末の構成は、図１７に示した無線通信ネットワーク参加端末２ｃの構成と同一である。
【０１０９】
図２４は、無線通信ネットワーク構築端末１ｆの動作を示している。図２４において、図１８に示した動作と同一の動作には同一のステップ番号が付与されている。図２４では、図１８に示した動作に対して、ステップＳ１６１，Ｓ１６２の動作が追加されている。
【０１１０】
ステップＳ１４１で接触が検出されなかった場合、振動制御部１０４は、公衆網インターフェース１０９が行う通信を監視し、公衆網インターフェース１０９への着信があったか否かを判定する（ステップＳ１６１）。公衆網インターフェース１０９への着信がない場合、検知部１０７は、無線通信ネットワーク参加端末２ｃの接触の監視を行い、無線通信ネットワーク参加端末２ｃの接触が検出されたか否かを判定する（ステップＳ１４１）。
【０１１１】
公衆網インターフェース１０９への着信があった場合、振動制御部１０４は、着信を示す振動を発生するよう振動発生モジュール１０３を制御する。振動発生モジュール１０３は、振動制御部１０４による制御に従って、着信を示す振動を発生する（ステップＳ１６２）。振動が発生した後、検知部１０７は、無線通信ネットワーク参加端末２ｃの接触の監視を行い、無線通信ネットワーク参加端末２ｃの接触が検出されたか否かを判定する（ステップＳ１４１）。上記の動作以外の動作については、図１８に示した動作と同様であるので、説明を省略する。また、無線通信ネットワーク参加端末２ｃの動作については、図１９に示した動作と同様であるので、説明を省略する。
【０１１２】
図２に示した無線通信ネットワーク構築端末１ｂの構成に対して検知部１０７および公衆網インターフェース１０９を追加して構成される無線通信ネットワーク構築端末および図４に示した無線通信ネットワーク参加端末２ｂの構成に対して検知部２０５を追加して構成される無線通信ネットワーク参加端末も、本実施形態で示した動作を行うことが可能である。詳細な動作は、上述した動作と同様であるので、説明を省略する。
【０１１３】
本実施形態によれば、無線通信ネットワーク構築端末１ｆと無線通信ネットワーク参加端末２ｃとが複数の無線通信プロトコルに対応することができる。また、無線通信ネットワーク構築端末１ｆが、公衆網インターフェース１０９を有する端末（携帯電話やスマートフォン等）である場合、端末が本来備えている機能を利用して振動を発生することが可能となる。このため、コストの増大を防止することができる。
【０１１４】
以上、図面を参照して本発明の実施形態について詳述してきたが、具体的な構成は上記の実施形態に限られるものではなく、本発明の要旨を逸脱しない範囲の設計変更等も含まれる。
【符号の説明】
【０１１５】
１ａ，１ｂ，１ｃ，１ｄ，１ｅ，１ｆ  無線通信ネットワーク構築端末、２ａ，２ｂ，２ｃ  無線通信ネットワーク参加端末、１００，２００  無線通信部、１０１，２０１  通信制御部、１０２  無線通信プロトコル選択部、１０３  振動発生モジュール、１０４  振動制御部、１０５  無線通信ネットワーク構築部、１０６，２０４  記憶部、１０７，２０５  検知部、１０８  撮像部、１０９  公衆網インターフェース、２０２  振動検出部、２０３  情報抽出部
【図１】
2014229993.tif 000003
【図２】
2014229993.tif 000004
【図３】
2014229993.tif 000005
【図４】
2014229993.tif 000006
【図５】
2014229993.tif 000007
【図６】
2014229993.tif 000008
【図７】
2014229993.tif 000009
【図８】
2014229993.tif 000010
【図９】
2014229993.tif 000011
【図１０】
2014229993.tif 000012
【図１１】
2014229993.tif 000013
【図１２】
2014229993.tif 000014
【図１３】
2014229993.tif 000015
【図１４】
2014229993.tif 000016
【図１５】
2014229993.tif 000017
【図１６】
2014229993.tif 000018
【図１７】
2014229993.tif 000019
【図１８】
2014229993.tif 000020
【図１９】
2014229993.tif 000021
【図２０】
2014229993.tif 000022
【図２１】
2014229993.tif 000023
【図２２】
2014229993.tif 000024
【図２３】
2014229993.tif 000025
【図２４】
2014229993.tif 000026